Podtech/llm-jp-corpus-v4-ja_patent huggingface dataset:
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
所定の表示を表示可能な表示手段と、
遊技に対するのめり込み防止に関する注意喚起表示を表示可能な注意喚起手段と、を備え、
前記注意喚起手段は、
前記非遊技状態のときと、前記有利状態が終了したときとで、前記注意喚起表示を、一部の態様が共通するように、前記表示手段に表示可能であり、
前記非遊技状態のときよりも前記有利状態が終了したときの方が前記注意喚起表示の表示期間が短い、
ことを特徴とする、遊技機。
【手続補正２】
【補正対象書類名】明細書
【補正対象項目名】０００６
【補正方法】変更
【補正の内容】
【０００６】
（Ａ） 上記目的を達成するため、本発明に係る遊技機は、
遊技者にとって有利な有利状態（たとえば、大当り状態等）に制御可能な遊技機（たとえば、パチンコ遊技機１等）であって、
所定の表示を表示可能な表示手段（例えば、演出表示装置９等）と、
遊技に対するのめり込み防止に関する注意喚起表示を表示可能な注意喚起手段（たとえば、のめり込み防止画像１３１を表示する演出制御用マイクロコンピュータ１００等）と、を備え、
前記注意喚起手段は、
前記非遊技状態のときと、前記有利状態が終了したときとで、前記注意喚起表示を、一部の態様が共通するように、前記表示手段に表示可能であり（たとえば、客待ちデモ状態のときには、図１４（ｈ）に示すように演出表示装置９の画面の下部にのめり込み防止画像１３１を大きく表示し、エンディング期間では、図１７（ｂ）に示すように演出表示装置９の画面の左下隅にのめり込み防止画像１３６を小さく表示する等）、
前記非遊技状態のときよりも前記有利状態が終了したときの方が前記注意喚起表示の表示期間が短い（たとえば、図１２に示すように、客待ちデモ状態のときよりも大当り終了後のエンディング期間のときの方がのめり込み防止画像の表示期間が短い等）、ことを特徴とする。
（１）  また、上記目的を達成するため、本発明に係る他の遊技機として、
遊技者にとって有利な有利状態（たとえば、大当り状態等）に制御可能な遊技機（たとえば、パチンコ遊技機１等）であって、
遊技に対するのめり込み防止に関する注意喚起を実行可能な注意喚起手段（たとえば、のめり込み防止画像１３１を表示する演出制御用マイクロコンピュータ１００等）を備え、
前記注意喚起手段は、
少なくとも非遊技状態（たとえば、客待ちデモ状態等）のときと、前記有利状態が終了したとき（たとえば、エンディング期間等）とでのめり込み防止に関する注意喚起を実行可能（たとえば、のめり込み防止画像１３１を表示する等）であり、
前記非遊技状態のときと、前記有利状態が終了したときとで異なる態様によりのめり込み防止に関する注意喚起を実行する（たとえば、客待ちデモ状態のときには、図１４（ｈ）に示すように演出表示装置９の画面の下部にのめり込み防止画像１３１を大きく表示し、エンディング期間では、図１７（ｂ）に示すように演出表示装置９の画面の左下隅にのめり込み防止画像１３６を小さく表示する、図１２に示すように、客待ちデモ状態のときよりも大当り終了後のエンディング期間のときの方がのめり込み防止画像の表示期間が短い等）ようにしてもよい。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
遊技を行う遊技機であって、
遊技者が操作可能な操作手段と、
第１タイミングと、該第１タイミングとは異なる第２タイミングと、において、前記操作手段に対する操作を促す促進報知を実行可能な報知手段と、
前記操作手段が操作されたことに基づいて、特定演出を実行可能な特定演出実行手段と、
前記第２タイミングにおいて、所定の演出画像を表示する所定演出を実行可能な所定演出実行手段と、を備え、
前記報知手段は、前記第２タイミングにおける演出の実行状況に応じて異なる態様により前記促進報知を実行可能であり、
前記特定演出実行手段は、前記報知手段により実行される前記促進報知の態様に応じて、異なる態様により前記特定演出を実行可能である、
ことを特徴とする遊技機。
【手続補正２】
【補正対象書類名】明細書
【補正対象項目名】００１１
【補正方法】変更
【補正の内容】
【００１１】
（Ａ）本発明による遊技機は、遊技者が操作可能な操作手段と、第１タイミングと、該第１タイミングとは異なる第２タイミングと、において、前記操作手段に対する操作を促す促進報知を実行可能な報知手段と、前記操作手段が操作されたことに基づいて、特定演出を実行可能な特定演出実行手段と、前記第２タイミングにおいて、所定の演出画像を表示する所定演出を実行可能な所定演出実行手段と、を備え、前記報知手段は、前記第２タイミングにおける演出の実行状況に応じて異なる態様により前記促進報知を実行可能であり、前記特定演出実行手段は、前記報知手段により実行される前記促進報知の態様に応じて、異なる態様により前記特定演出を実行可能である、ことを特徴とする。
（１）他の遊技機は、遊技を行う遊技機であって、第１タイミングと該第１タイミングとは異なる第２タイミング（例えば、第１操作促進タイミングおよび第３操作促進タイミング。図２８参照）とにおいて、遊技者の動作を促す促進報知（例えば、操作促進報知）を実行可能な報知手段と、第２タイミングにおいて、所定の演出画像（例えば、キャラクタ画像やセリフ画像）を表示する演出を実行可能な演出実行手段とを備え、報知手段は、第２タイミングにおいて、演出の実行状況に応じて異なる態様により促進報知を実行可能である（例えば、どのような演出が実行されているかに応じて、表示する操作促進画像の態様や、出力する演出音が異なる。図２９参照）ことを特徴とする。
そのような構成によれば、状況に応じた態様により促進報知を実行することができ、促進報知を認識しやすくすることができる。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
識別情報の可変表示を行い、表示結果を導出する可変表示手段を備え、遊技者にとって有利な有利状態に制御する遊技機であって、
所定の演出表示を動作させる特定演出を実行可能であり、前記特定演出において、前記表示結果を構成する少なくとも一の識別情報を前記所定の演出表示に重畳して表示することにより、前記有利状態に制御されることを示唆可能な演出実行手段を備え、
前記所定の演出表示に重畳して表示した識別情報を、前記所定の演出表示を視認可能な透過度である第１態様から前記第１態様よりも透過度の低い第２態様へ変化させ、
前記演出実行手段は、前記所定の演出表示に重畳して表示した識別情報を、前記所定の演出表示の動作に関連させて動作させる、
ことを特徴とする遊技機。
【手続補正２】
【補正対象書類名】明細書
【補正対象項目名】０００７
【補正方法】変更
【補正の内容】
【０００７】
（１）上記目的を達成するため、本発明に係る遊技機は、
識別情報の可変表示を行い、表示結果を導出する可変表示手段を備え、遊技者にとって有利な有利状態に制御する遊技機（例えばパチンコ遊技機１など）であって、
所定の演出表示を動作させる特定演出を実行可能であり、前記特定演出において、前記表示結果を構成する少なくとも一の識別情報を前記所定の演出表示に重畳して表示することにより、前記有利状態に制御されることを示唆可能な演出実行手段（例えば特定演出を実行する演出制御用ＣＰＵ１２０など）を備え、
前記所定の演出表示に重畳して表示した識別情報を、前記所定の演出表示を視認可能な透過度である第１態様から前記第１態様よりも透過度の低い第２態様へ変化させ（例えば特定演出において重畳させて表示する飾り図柄越しに演出表示が視認可能となるよう、飾り図柄を透過させて表示した後、不透過とし、可変表示結果が「大当り」となるか否かを報知するなど）、
前記演出実行手段は、前記所定の演出表示に重畳して表示した識別情報を、前記所定の演出表示の動作に関連させて動作させる、
ことを特徴とする。
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
画像を表示可能な表示手段と、
前記表示手段において、遊技に対するのめり込み防止に関する注意喚起表示を、非遊技状態のときも含めて実行可能な注意喚起手段と、
遊技者が操作可能な操作手段と、を備え、
前記操作手段の操作に応じて、前記遊技機の設定画面に関する画像を前記表示手段に表示可能であり、
前記設定画面は、複数の画像による階層で構成され、
前記注意喚起手段は、
いずれの階層においてものめり込み防止に関する注意喚起表示を表示可能であり、
前記設定画面の表示を終了することに基づいて、のめり込み防止に関する注意喚起表示を表示可能である、遊技機。
【手続補正２】
【補正対象書類名】明細書
【補正対象項目名】０００６
【補正方法】変更
【補正の内容】
【０００６】
（Ａ） 上記目的を達成するため、本発明に係る遊技機は、
遊技者にとって有利な有利状態（たとえば、大当り状態等）に制御可能な遊技機（たとえば、パチンコ遊技機１等）であって、
画像を表示可能な表示手段（たとえば、演出表示装置９、演出制御用マイクロコンピュータ１００等）と、
前記表示手段において、遊技に対するのめり込み防止に関する注意喚起表示を、非遊技状態のときも含めて実行可能な注意喚起手段（たとえば、客待ちデモ状態中のときも含めて、のめり込み防止画像を表示する演出制御用マイクロコンピュータ１００等）と、
遊技者が操作可能な操作手段（たとえば、スティックコントローラ１２２、プッシュボタン１２０等）と、を備え、
前記操作手段の操作に応じて、前記遊技機の設定画面に関する画像を前記表示手段に表示可能であり（たとえば、スティックコントローラ１２２やプッシュボタン１２０の操作に応じて、パチンコ遊技機１の設定をするためのメニュー画面１３２を演出表示装置９に表示する等）、
前記設定画面は、複数の画像による階層で構成され（たとえば、図１５に示すように、メニュー画面１３２は複数の画像による階層構造で構成されている等）、
前記注意喚起手段は、
いずれの階層においてものめり込み防止に関する注意喚起表示を表示可能であり（たとえば、図１５に示すように、のめり込み防止画像はメニュー画面１３２のいずれの階層にも表示される等）、
前記設定画面の表示を終了することに基づいて、のめり込み防止に関する注意喚起表示を表示可能である（たとえば、図１５（ｇ）に示すように、メニュー画面１３２の表示を終了することに基づいて、最初にのめり込み防止画像１３５が表示される等）。
（１）  また、他の遊技機として、
遊技者にとって有利な有利状態（たとえば、大当り状態等）に制御可能な遊技機（たとえば、パチンコ遊技機１等）であって、
画像を表示可能な表示手段（たとえば、演出表示装置９、演出制御用マイクロコンピュータ１００等）と、
前記表示手段において、遊技に対するのめり込み防止に関する注意喚起表示を実行可能な注意喚起手段（たとえば、のめり込み防止画像を表示する演出制御用マイクロコンピュータ１００等）と、
遊技者が操作可能な操作手段（たとえば、スティックコントローラ１２２、プッシュボタン１２０等）とを備え、
前記操作手段の操作に応じて、前記遊技機の設定画面に関する画像を前記表示手段に表示可能であり（たとえば、スティックコントローラ１２２やプッシュボタン１２０の操作に応じて、パチンコ遊技機１の設定をするためのメニュー画面１３２を演出表示装置９に表示する等）、
前記設定画面は、複数の画像による階層構造で構成され（たとえば、図１５に示すように、メニュー画面１３２は複数の画像による階層構造で構成されている等）、
前記注意喚起手段は、いずれの階層においてものめり込み防止に関する注意喚起表示を表示可能である（たとえば、図１５に示すように、のめり込み防止画像はメニュー画面１３２のいずれの階層にも表示される等）ようにしてもよい。
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
画像を表示可能な表示手段と、
前記表示手段において、遊技に対するのめり込み防止に関する注意喚起表示を実行可能な注意喚起手段と、
前記遊技機の状態を節電モードに設定する節電モード設定手段と、を備え、
前記注意喚起手段は、
少なくとも非遊技状態のときに前記表示手段にのめり込み防止に関する注意喚起表示を表示可能であり、
前記節電モード中に当該節電モード中である旨の節電報知画像が前記表示手段に表示されているときには、前記注意喚起表示の実行を制限するとともに、前記節電モードが終了されることに基づいて、のめり込み防止に関する注意喚起表示を表示可能とする、遊技機。
【手続補正２】
【補正対象書類名】明細書
【補正対象項目名】０００６
【補正方法】変更
【補正の内容】
【０００６】
（Ａ） 上記目的を達成するため、本発明に係る遊技機は、
遊技者にとって有利な有利状態（たとえば、大当り状態等）に制御可能な遊技機（たとえば、パチンコ遊技機１等）であって、
画像を表示可能な表示手段（たとえば、演出表示装置９、演出制御用マイクロコンピュータ１００等）と、
前記表示手段において、遊技に対するのめり込み防止に関する注意喚起表示を実行可能な注意喚起手段（たとえば、のめり込み防止画像を表示する演出制御用マイクロコンピュータ１００等）と、
前記遊技機の状態を節電モードに設定する節電モード設定手段（たとえば、図１３（ａ）に示すように、客待ちデモ状態が所定期間実行されることで節電モードへ移行する処理、演出制御用マイクロコンピュータ１００等）と、を備え、
前記注意喚起手段は、
少なくとも非遊技状態のときに前記表示手段にのめり込み防止に関する注意喚起表示を表示可能であり（たとえば、客待ちデモ状態中のときに演出表示装置９にのめり込み防止画像を表示可能である等）、
前記節電モード中に当該節電モード中である旨の節電報知画像が前記表示手段に表示されているときには、前記注意喚起表示の実行を制限する（たとえば、図１３（ａ），図１６に示すように、節電モード中に画面輝度が低下した輝度低下画像が演出表示装置９に表示されているときには、のめり込み防止画像を表示しない等）とともに、前記節電モードが終了されることに基づいて、のめり込み防止に関する注意喚起表示を表示する（たとえば、図１６（ｈ）に示すように、節電モードを終了することに基づいて、最初にのめり込み防止画像１３５が表示される等）。
（１）  また、他の遊技機として、
遊技者にとって有利な有利状態（たとえば、大当り状態等）に制御可能な遊技機（たとえば、パチンコ遊技機１等）であって、
画像を表示可能な表示手段（たとえば、演出表示装置９、演出制御用マイクロコンピュータ１００等）と、
前記表示手段において、遊技に対するのめり込み防止に関する注意喚起表示を実行可能な注意喚起手段（たとえば、のめり込み防止画像を表示する演出制御用マイクロコンピュータ１００等）と、
前記遊技機の状態を節電モードに設定する節電モード設定手段（たとえば、図１３（ａ）に示すように、客待ちデモ状態が所定期間実行されることで節電モードへ移行する処理、演出制御用マイクロコンピュータ１００等）とを備え、
前記注意喚起手段は、
少なくとも非遊技状態のときに前記表示手段にのめり込み防止に関する注意喚起表示を表示可能であり（たとえば、客待ちデモ状態中のときに演出表示装置９にのめり込み防止画像を表示可能である等）、
前記節電モード中に当該節電モード中である旨の節電報知画像が前記表示手段に表示されているときには、前記注意喚起表示の実行を制限する（たとえば、図１３（ａ），図１６に示すように、節電モード中に画面輝度が低下した輝度低下画像が演出表示装置９に表示されているときには、のめり込み防止画像を表示しない等）ようにしてもよい。
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
可変表示を実行し、可変表示の表示結果が特定結果となったときに、遊技者にとって有利な有利状態に制御可能な遊技機であって、
遊技者が操作可能な操作手段を備え、
所定状況において、遊技者の操作によって複数種類の項目の中から１の項目が選択可能であり、選択された項目に対応した演出を実行するもので、
遊技者が選択可能な項目として、所定期間内に前記有利状態が連続した場合に新たに選択可能となる項目と、前記有利状態が連続していなくても予め選択可能とされている項目と、を含み、
前記有利状態に制御される期待度を示唆する特定演出が実行されて前記有利状態に制御された場合にも、遊技者が選択可能となる項目を新たに増加させることが可能である、
ことを特徴とする遊技機。
【手続補正２】
【補正対象書類名】明細書
【補正対象項目名】０００６
【補正方法】変更
【補正の内容】
【０００６】
（Ａ）本発明に係る遊技機は、可変表示を実行し（例えば、第１特別図柄表示装置４Ａや第２特別図柄表示装置４Ｂの特別図柄を可変表示させる等）、可変表示の表示結果が特定結果となったとき（例えば、第１特別図柄表示装置４Ａや第２特別図柄表示装置４Ｂの特別図柄の確定特別図柄として大当り図柄が導出表示される等）に、遊技者にとって有利な有利状態（例えば、大当り遊技状態等）に制御可能な遊技機であって、遊技者が操作可能な操作手段を備え、所定状況において、遊技者の操作（例えば、プッシュボタン３１Ｂやスティックコントローラ３１Ａの操作等）によって複数種類の項目の中から１の項目が選択可能（例えば、複数種類の楽曲の中から１の楽曲が遊技者によって選択可能等）であり、選択された項目に対応した演出を実行するもので（例えば、選択された楽曲の映像及び演奏を出力する等）、遊技者が選択可能な項目として、所定期間内に前記有利状態が連続した場合（例えば、大当り遊技状態の連荘数が増加した場合等）に新たに選択可能となる項目（例えば、２連荘目時には、「楽曲Ｂ１」「楽曲Ｂ２」「楽曲Ｂ３」の３曲の楽曲を新たに解放する等）と、前記有利状態が連続していなくても予め選択可能とされている項目（例えば、２連荘となっていなくても、予め「楽曲Ａ１」「楽曲Ａ２」「楽曲Ａ３」「楽曲Ａ４」「楽曲Ａ５」「楽曲Ａ６」「楽曲Ａ７」の７曲の楽曲が解放されている等）と、を含み、前前記有利状態に制御される期待度を示唆する特定演出が実行されて前記有利状態に制御された場合にも（例えば、「Ｃ２リーチ」などの特定のリーチ演出が実行されて大当り遊技状態が実行される等）、遊技者が選択可能となる項目を新たに増加させることが可能（例えば、２連荘目に「Ｃ２リーチ」が実行されて大当り遊技状態が実行された場合に、「楽曲Ｂ１」「楽曲Ｂ２」「楽曲Ｂ３」の３曲の楽曲のほか、「Ｃ２リーチ」に対応する「楽曲Ｃ２」の楽曲を新たに解放する等）であることを特徴とする。
（１）また、本発明に係る他の遊技機として、遊技者が操作可能な操作手段を備えた遊技機（例えば、パチンコ遊技機１等）であって、所定状況において、遊技者の操作（例えば、プッシュボタン３１Ｂやスティックコントローラ３１Ａの操作等）によって複数種類の項目の中から１の項目が選択可能（例えば、複数種類の楽曲の中から１の楽曲が遊技者によって選択可能等）であり、選択された項目に対応した演出を実行するもので（例えば、選択された楽曲の映像及び演奏を出力する等）、遊技者が選択可能な項目として、所定条件が成立した場合（例えば、大当り遊技状態の連荘数が増加した場合等）に新たに選択可能となる項目（例えば、２連荘目時には、「楽曲Ｂ１」「楽曲Ｂ２」「楽曲Ｂ３」の３曲の楽曲を新たに解放する等）と、前記所定条件が成立していなくても予め選択可能とされている項目（例えば、２連荘となっていなくても、予め「楽曲Ａ１」「楽曲Ａ２」「楽曲Ａ３」「楽曲Ａ４」「楽曲Ａ５」「楽曲Ａ６」「楽曲Ａ７」の７曲の楽曲が解放されている等）と、を含み、前記所定条件とは異なる特定条件（例えば、「Ｃ２リーチ」などの特定のリーチ演出が実行されて大当り遊技状態が実行される等）が成立した場合にも、遊技者が選択可能となる項目を新たに増加させることが可能（例えば、２連荘目に「Ｃ２リーチ」が実行されて大当り遊技状態が実行された場合に、「楽曲Ｂ１」「楽曲Ｂ２」「楽曲Ｂ３」の３曲の楽曲のほか、「Ｃ２リーチ」に対応する「楽曲Ｃ２」の楽曲を新たに解放する等）であることを特徴としてもよい。
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技に対するのめり込み防止に関する注意喚起を実行可能な注意喚起手段と、
複数の演出状態のうちいずれかの演出状態に制御可能な演出状態制御手段と、
遊技者が操作可能な操作手段と、を備え、
前記注意喚起手段は、注意喚起を実行する前の演出状態または前記操作手段の操作に応じて設定された演出設定に応じて、のめり込み防止に関する注意喚起の実行態様を異ならせる、遊技機。
【請求項２】
遊技者にとって有利な有利状態に制御可能な遊技機であって、
遊技に対するのめり込み防止に関する注意喚起を実行可能な注意喚起手段と、
複数の演出状態のうちいずれかの演出状態に制御可能な演出状態制御手段と、
遊技者が操作可能な操作手段と、を備え、
前記注意喚起手段は、注意喚起を実行した後の演出状態または前記操作手段の操作に応じて設定された演出設定に応じて、のめり込み防止に関する注意喚起の実行態様を異ならせる、遊技機。
【手続補正２】
【補正対象書類名】明細書
【補正対象項目名】０００６
【補正方法】変更
【補正の内容】
【０００６】
（Ａ） 上記目的を達成するため、本発明に係る遊技機は、
遊技者にとって有利な有利状態（たとえば、大当り状態等）に制御可能な遊技機（たとえば、パチンコ遊技機１等）であって、
遊技に対するのめり込み防止に関する注意喚起を実行可能な注意喚起手段（たとえば、のめり込み防止画像を表示する演出制御用マイクロコンピュータ１００等）と、
複数の演出状態のうちいずれかの演出状態に制御可能な演出状態制御手段（たとえば、メニュー画面１３２においていずれかのキャラクタの違いによる演出状態に制御する処理を実行する演出制御用マイクロコンピュータ１００等）と、
遊技者が操作可能な操作手段（たとえば、スティックコントローラ１２２、プッシュボタン１２０等）と、を備え、
前記注意喚起手段は、注意喚起を実行する前の演出状態または前記操作手段の操作に応じて設定された演出設定に応じて、のめり込み防止に関する注意喚起の実行態様を異ならせる（たとえば、図１５（ｅ），（ｆ）に示すように、メニュー画面１３２においていずれかのキャラクタの違いによりのめり込み防止画像の表示態様が異なる、または、スティックコントローラ１２２やプッシュボタン１２０の操作に応じて設定されたキャラクタやモードに応じてのめり込み防止画像の表示態様を異ならせる等）。
（１）  また、他の遊技機として、
遊技者にとって有利な有利状態（たとえば、大当り状態等）に制御可能な遊技機（たとえば、パチンコ遊技機１等）であって、
遊技に対するのめり込み防止に関する注意喚起を実行可能な注意喚起手段（たとえば、のめり込み防止画像を表示する演出制御用マイクロコンピュータ１００等）と、
複数の演出状態のうちいずれかの演出状態に制御可能な演出状態制御手段（たとえば、メニュー画面１３２においていずれかのキャラクタの違いによる演出状態に制御する処理を実行する演出制御用マイクロコンピュータ１００等）とを備え、
前記注意喚起手段は、注意喚起を実行する前の演出状態に応じてのめり込み防止に関する注意喚起の実行態様を異ならせる（たとえば、図１５（ｅ），（ｆ）に示すように、メニュー画面１３２においていずれかのキャラクタの違いによりのめり込み防止画像の表示態様が異なる等）ようにしてもよい。
【手続補正３】
【補正対象書類名】明細書
【補正対象項目名】０００８
【補正方法】変更
【補正の内容】
【０００８】
（Ｂ） 上記目的を達成するため、本発明に係る遊技機は、
遊技者にとって有利な有利状態（たとえば、大当り状態等）に制御可能な遊技機（たとえば、パチンコ遊技機１等）であって、
遊技に対するのめり込み防止に関する注意喚起を実行可能な注意喚起手段（たとえば、のめり込み防止画像を表示する演出制御用マイクロコンピュータ１００等）と、
複数の演出状態のうちいずれかの演出状態に制御可能な演出状態制御手段（たとえば、大当り遊技中において確変中のモードの違いによる演出状態に制御する処理を実行する演出制御用マイクロコンピュータ１００等）と、
遊技者が操作可能な操作手段（たとえば、スティックコントローラ１２２、プッシュボタン１２０等）と、を備え、
前記注意喚起手段は、注意喚起を実行した後の演出状態または前記操作手段の操作に応じて設定された演出設定に応じてのめり込み防止に関する注意喚起の実行態様を異ならせる（たとえば、大当り遊技中において選択した確変中のモードの違いによりエンディング時ののめり込み防止画像の表示態様が異なる、または、スティックコントローラ１２２やプッシュボタン１２０の操作に応じて設定されたキャラクタやモードに応じてのめり込み防止画像の表示態様を異ならせる等）。
（２）  また、他の遊技機として、
遊技者にとって有利な有利状態（たとえば、大当り状態等）に制御可能な遊技機（たとえば、パチンコ遊技機１等）であって、
遊技に対するのめり込み防止に関する注意喚起を実行可能な注意喚起手段（たとえば、のめり込み防止画像を表示する演出制御用マイクロコンピュータ１００等）と、
複数の演出状態のうちいずれかの演出状態に制御可能な演出状態制御手段（たとえば、大当り遊技中において確変中のモードの違いによる演出状態に制御する処理を実行する演出制御用マイクロコンピュータ１００等）とを備え、
前記注意喚起手段は、注意喚起を実行した後の演出状態に応じてのめり込み防止に関する注意喚起の実行態様を異ならせる（たとえば、大当り遊技中において選択した確変中のモードの違いによりエンディング時ののめり込み防止画像の表示態様が異なる等）ようにしてもよい。
【手続補正書】
【提出日】令和1年9月19日(2019.9.19)
【手続補正１】
【補正対象書類名】特許請求の範囲
【補正対象項目名】請求項１
【補正方法】変更
【補正の内容】
【請求項１】
Ｘ軸方向、Ｙ軸方向に各々平行な２辺を有する矩形で、圧力計測シートと、前記圧力計測シートと電気的に接続された回路基板と、を備えた圧力計測モジュールと、
前記圧力計測モジュールに積層され、矩形のマット材からなり、Ｘ軸方向に平行な２辺に複数の凸部と、前記凸部の間に前記凸部を嵌入しうる形状である凹部とを備える連結部を有するジョイントマットと、を備え、
前記圧力計測モジュールが、前記ジョイントマットに対してＹ軸方向に位置をずらして、前記ジョイントマットの上に固定され、
前記圧力計測モジュールのＸ軸方向に平行な２辺の距離Ｌ１が、前記ジョイントマットの一辺の連結部の凸部と他辺の連結部の凹部との距離Ｌ２に等しい、タイル状センサ。
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
基準部材と、光を照射する光照射手段と、受光手段とを備え、無端状の表面移動部材表面上に形成された画像からの反射光又は透過光を受光した前記受光手段の出力に基づいて前記画像の画像濃度を検出し、前記基準部材からの反射光を受光した前記受光手段の出力に基づいて前記画像濃度の検出条件を補正する画像濃度検出装置において、
前記基準部材は、前記表面移動部材の内周面に対向するよう配置されていることを特徴とする画像濃度検出装置。
【請求項２】
請求項１記載の画像濃度検出装置において、
前記基準部材からの反射光を前記受光手段に導く導光手段を設け、
前記受光手段は、前記表面移動部材の外周面に対向するよう配置されていることを特徴とする画像濃度検出装置。
【請求項３】
請求項２記載の画像濃度検出装置において、
前記導光手段として、前記表面移動部材の少なくとも一部に可視光に対して透明な材料で構成される透明部を設けたことを特徴とする画像濃度検出装置。
【請求項４】
請求項３に記載の画像濃度検出装置において、
前記表面移動部材は、表面にトナー像を担持する中間転写体であり、当該中間転写体は、前記透明部以外の表面にトナー像を担持することを特徴とする画像濃度検出装置。
【請求項５】
請求項１乃至３のいずれか１項に記載の画像濃度検出装置において、
前記表面移動部材は、表面にトナー像を担持する中間転写体であり、当該中間転写体の表面にトナー像を担持する部分は、可視光に対して透明な材料で構成されていることを特徴とする画像濃度検出装置。
【請求項６】
請求項１乃至５のいずれか１項に記載の画像濃度検出装置において、
前記受光手段は、複数の撮像素子を一方向に並べて配置して構成されていることを特徴とする画像濃度検出装置。
【請求項７】
請求項４又は５に記載の画像濃度検出装置において、
転写紙上に出力された濃度検知用パターン像を測色する測色手段を備え、
同一の濃度検知用パターン像について、前記受光手段によって前記中間転写体上で検知した検知結果と、前記測色手段によって前記転写紙上で検知した検知結果とを比較して、その比較結果に基づいて前記受光手段による前記中間転写体上の検出値を補正することを特徴とする画像濃度検出装置。
【請求項８】
中間転写体の表面上に画像を形成する作像手段と、前記中間転写体の表面上に形成された画像の画像濃度を検出する画像濃度検出手段と、前記画像濃度検出手段の検出結果に基づいて前記作像手段による作像条件を制御する作像条件制御手段とを備えた画像形成装置において、
前記画像濃度検出手段として、請求項１乃至７のいずれかに記載の画像濃度検出装置を用いることを特徴とする画像形成装置。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
基板と、複数の薄膜を備える表面層と、前記表面層と前記基板の間に設けられた前記基板上の位置に応じて透過率の異なる吸収層と、を有する光学素子であって、
前記表面層において前記基板から最も離れた位置に配置されている第１の膜の屈折率は１．０５以上１．４以下であり、
前記表面層における前記第１の膜よりも前記基板に近い位置には、波長５５０ｎｍにおいて前記基板よりも屈折率の高い第２の膜と、波長５５０ｎｍにおいて前記第２の膜よりも屈折率の低い第３の膜が合計２層以上積層されており、
前記吸収層の消衰係数は、波長４００ｎｍから７００ｎｍにおいて０．０５以上０．５以下であることを特徴とする光学素子。
【請求項２】
互いに隣接する前記第２の膜と前記第３の膜の屈折率の差の絶対値は０．４以上であることを特徴とする請求項１に記載の光学素子。
【請求項３】
前記光学素子は、前記基板と前記吸収層との間に、中間層をさらに有し、
前記吸収層を構成する膜のうち、前記中間層に最も近い膜の屈折率をＮａｂｓ，ｉｎｔ、前記基板の屈折率をＮｓｕｂとしたとき、
前記中間層は、屈折率がＮａｂｓ，ｉｎｔとＮｓｕｂの間の値の膜を備えていることを特徴とする請求項１または２に記載の光学素子。
【請求項４】
前記基板から前記中間層までの等価アドミタンスをηｓｕｂ、真空のアドミタンスをＹ０とするとき、波長５５０ｎｍにおいて、
｜Ｒｅ（ηｓｕｂ）／Ｙ０−Ｎａｂｓ，ｉｎｔ｜＜０．２５
なる条件式を満たすことを特徴とする請求項３に記載の光学素子。
【請求項５】
前記光学素子は、前記中間層と前記表面層の間に前記吸収層が形成されていない領域を有しており、
前記基板から前記中間層までの等価アドミタンスをηｓｕｂ、空気から前記表面層までの等価アドミタンスをηａｉｒ、真空のアドミタンスをＹ０とするとき、波長５５０ｎｍにおいて、
｜Ｒｅ（ηｓｕｂ）／Ｙ０−Ｒｅ（ηａｉｒ）／Ｙ０｜＜０．３
なる条件式を満たすことを特徴とする請求項３または４に記載の光学素子。
【請求項６】
空気から前記表面層までの等価アドミタンスをηａｉｒ、真空のアドミタンスをＹ０、前記吸収層を構成する膜のうち前記表面層に最も近い膜の屈折率をＮａｂｓ，ｓｕｒとするとき、波長５５０ｎｍにおいて、
｜Ｒｅ（ηａｉｒ）／Ｙ０−Ｎａｂｓ，ｓｕｒ｜＜０．２５
なる条件式を満たすことを特徴とする請求項１乃至５のいずれか一項に記載の光学素子。
【請求項７】
前記第１の膜は、内部に空隙が形成されていることを特徴とする請求項１乃至６のいずれか一項に記載の光学素子。
【請求項８】
前記第１の膜はシリカまたはフッ化マグネシウムを含んでいることを特徴とする請求項１乃至７のいずれか一項に記載の光学素子。
【請求項９】
前記吸収層は、波長４００ｎｍにおける吸収係数が波長７００ｎｍにおける吸収係数よりも小さい第１の材料と、
波長４００ｎｍにおける吸収係数が波長７００ｎｍにおける吸収係数よりも大きい第２の材料と、を含んでいることを特徴とする請求項１乃至８のいずれか一項に記載の光学素子。
【請求項１０】
前記吸収層の厚さは、前記基板上の位置に応じて変化していることを特徴とする請求項１乃至９のいずれか一項に記載の光学素子。
【請求項１１】
前記基板上の位置に応じて変化している位相補償層をさらに備え、
前記位相補償層の厚さは、前記吸収層の厚さの増加する方向に対して反対の方向に増加することを特徴とする請求項１０に記載の光学素子。
【請求項１２】
前記吸収層の厚さが最も薄い位置における光路長と、該位置よりも前記吸収層の厚さが厚い位置における光路長との差をΔＯＰＤとし、光の波長をλとしたとき、
前記位相補償層の厚さは、
｜ΔＯＰＤ／λ｜≦０．３０
なる条件式を満たすように変化していることを特徴とする請求項１１に記載の光学素子。
【請求項１３】
前記位相補償層は、前記基板に隣接する位置に配置されており、
前記基板の屈折率をＮｓｕｂ、前記位相補償層の屈折率をＮｃｍｐとしたとき、
｜Ｎｓｕｂ−Ｎｃｍｐ｜＜０．１０
なる条件式を満たすことを特徴とする請求項１１または１２に記載の光学素子。
【請求項１４】
前記位相補償層は、前記吸収層に隣接する位置に配置されており、
前記吸収層を構成する膜のうち、前記位相補償層と隣接する膜の屈折率をＮａｂｓ，ｃ、前記位相補償層の屈折率をＮｃｍｐとしたとき、
｜Ｎａｂｓ，ｃ−Ｎｃｍｐ｜＜０．１５
なる条件式を満たすことを特徴とする請求項１１乃至１３のいずれか一項に記載の光学素子。
【請求項１５】
前記吸収層の透過率の等しい領域が同心円状に分布することを特徴とする請求項１乃至１４のいずれか一項に記載の光学素子。
【請求項１６】
前記吸収層は、前記同心円の中心において形成されていないことを特徴とする請求項１５に記載の光学素子。
【請求項１７】
前記基板はレンズであることを特徴とする請求項１乃至１６のいずれか一項に記載の光学素子。
【請求項１８】
複数の光学素子を有し、前記複数の光学素子のうち、少なくとも１つは、請求項１乃至１７のいずれか一項に記載された光学素子であることを特徴とする光学系。
【請求項１９】
絞りと、前記絞りの光入射側と光出射側に少なくとも１つずつ配置された請求項１乃至１７のいずれか一項に記載された光学素子と、を有することを特徴とする光学系。
【請求項２０】
撮像素子と、請求項１８または１９に記載の光学系とを有することを特徴とする撮像装置。
【請求項２１】
撮像装置本体に対して着脱可能であり、請求項１８または１９に記載の光学系を有することを特徴とするレンズ装置。
【手続補正２】
【補正対象書類名】明細書
【補正対象項目名】０００８
【補正方法】変更
【補正の内容】
【０００８】
本発明の光学素子は、基板と、複数の薄膜を備える表面層と、前記表面層と前記基板の間に設けられた前記基板上の位置に応じて透過率の異なる吸収層と、を有する光学素子であって、前記表面層において前記基板から最も離れた位置に配置されている第１の膜の屈折率は１．０５以上１．４以下であり、前記表面層における前記第１の膜よりも前記基板に近い位置には、波長５５０ｎｍにおいて前記基板よりも屈折率の高い第２の膜と、波長５５０ｎｍにおいて前記第２の膜よりも屈折率の低い第３の膜が合計２層以上積層されており、前記吸収層の消衰係数は、波長４００ｎｍから７００ｎｍにおいて０．０５以上０．５以下であることを特徴とする。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
気体が流出入する流出入部を有するハウジングと、
前記ハウジング内に配置され、気圧を検出する気圧センサと、
情報を処理する処理部と、を有し、
前記処理部は前記気圧センサが検出した前記ハウジング内の気圧の変化に基づいて、ユーザからの押圧を検知する、
情報処理装置。
【請求項２】
前記流出入部は、気体の流出入を制限する制限部材を有する、請求項１に記載の情報処理装置。
【請求項３】
前記処理部は、前記気圧センサが検出した前記ハウジング内の気圧の変化に基づいて、ユーザが被検知物を離したことを検知する、請求項１または２に記載の情報処理装置。
【請求項４】
前記処理部は、前記気圧センサの出力の値と前記気圧センサの出力の値の移動平均値との差を前記気圧の変化の量として算出し、
前記処理部は、前記算出された前記気圧の変化の量と閾値との比較に基づいて前記ユーザからの押圧を検知する、請求項１〜３のいずれか一項に記載の情報処理装置。
【請求項５】
タッチパネルをさらに備え、
前記処理部は、前記気圧センサが検知する前記ハウジング内の気圧の変化の大きさに基づいて前記タッチパネルの感度を変える、請求項１〜４のいずれか一項に記載の情報処理装置。
【請求項６】
前記処理部は、前記タッチパネルが検出する被検知物の位置と前記気圧センサが検知する気圧の変化に基づいて所定の動作を行うためのパターンを認識する、請求項５に記載の情報処理装置。
【請求項７】
指紋センサをさらに備え、
前記処理部は、前記気圧センサが検出する気圧の変化に基づいてユーザからの押圧が検知された場合、前記指紋センサを用いた指紋の認識を行う、請求項１〜６のいずれか一項に記載の情報処理装置。
【請求項８】
前記処理部は、前記気圧センサが検知する気圧の変化に応じてアプリケーション内での操作を変える、請求項１〜７のいずれか一項に記載の情報処理装置。
【請求項９】
前記処理部は、前記気圧センサが検知する気圧の変化の大きさに基づいて入力される文字を変える、請求項１〜８のいずれか一項に記載の情報処理装置。
【請求項１０】
前記処理部は、前記気圧センサが検出する気圧の変化に基づくユーザからの押圧を機械学習を用いて認識する、請求項１〜９のいずれか一項に記載の情報処理装置。
【手続補正２】
【補正対象書類名】明細書
【補正対象項目名】００７１
【補正方法】変更
【補正の内容】
【００７１】
なお、以下のような構成も本開示の技術的範囲に属する。
（１）
気体が流出入する流出入部を有するハウジングと、
前記ハウジング内に配置され、気圧を検出する気圧センサと、
情報を処理する処理部と、を有し、
前記処理部は前記気圧センサが検出した前記ハウジング内の気圧の変化に基づいて、ユーザからの押圧を検知する、
情報処理装置。
（２）
前記流出入部は、気体の流出入を制限する制限部材を有する、前記（１）に記載の情報処理装置。
（３）
前記処理部は、前記気圧センサが検出した前記ハウジング内の気圧の変化に基づいて、ユーザが被検知物を離したことを検知する、前記（１）または（２）に記載の情報処理装置。
（４）
前記処理部は、前記気圧センサの出力の値と前記気圧センサの出力の値の移動平均値との差を前記気圧の変化の量として算出し、
前記処理部は、前記算出された前記気圧の変化の量と閾値との比較に基づいて前記ユーザからの押圧を検知する、前記（１）から（３）のいずれか１項に記載の情報処理装置。
（５）
タッチパネルをさらに備え、
前記処理部は、前記気圧センサが検知する前記ハウジング内の気圧の変化の大きさに基づいて前記タッチパネルの感度を変える、前記（１）から（４）のいずれか１項に記載の情報処理装置。
（６）
前記処理部は、前記タッチパネルが検出する被検知物の位置と前記気圧センサが検知する気圧の変化に基づいて所定の動作を行うためのパターンを認識する、前記（５）に記載の情報処理装置。
（７）
指紋センサをさらに備え、
前記処理部は、前記気圧センサが検出する気圧の変化に基づいてユーザからの押圧が検知された場合、前記指紋センサを用いた指紋の認識を行う、前記（１）から（６）のいずれか１項に記載の情報処理装置。
（８）
前記処理部は、前記気圧センサが検知する気圧の変化に応じてアプリケーション内での操作を変える、前記（１）から（７）のいずれか１項に記載の情報処理装置。
（９）
前記処理部は、前記気圧センサが検知する気圧の変化の大きさに基づいて入力される文字を変える、前記（１）から（８）のいずれか１項に記載の情報処理装置。
（１０）
前記処理部は、前記気圧センサが検出する気圧の変化に基づくユーザからの押圧を機械学習を用いて認識する、前記（１）から（９）のいずれか１項に記載の情報処理装置。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
音声を入力するための音声入力手段と、
入力された音声の基本周波数の振幅とその２倍音の振幅との差分値を当該音声の特徴量として抽出する特徴量抽出手段と、
抽出された特徴量を用いて当該音声が所定の音声か否かを判別する判別手段と、
を有することを特徴とする音声判別装置。
【請求項２】
前記特徴量は、前記差分値の絶対値であり、
前記判別手段は、前記絶対値の大きさに応じて前記所定の音声か否かを判別することを特徴とする、
請求項１に記載の音声判別装置。
【請求項３】
前記特徴量抽出手段は、前記入力された音声が人の声か否かを判別する前処理を行い、人の声であると判別された区間に対する特徴量を抽出することを特徴とする、
請求項１又は２に記載の音声判別装置。
【請求項４】
前記特徴量抽出手段は、前記入力された音声の周波数を複数のサブバンドに分類して各サブバンドのサブバンドエネルギーを計測し、サブバンドエネルギーが最も大きいサブバンドを特定するとともに、当該サブバンドでのケプストラムの振幅が大きい順に上位Ｎ個の候補を選出し、１位候補とその１／２倍音に対応する候補が前記上位Ｎ個の中に存在する場合は当該１位候補から前記基本周波数を求めることを特徴とする、
請求項１ないし３のいずれか一項に記載の音声判別装置。
【請求項５】
前記特徴量抽出手段は、前記特定したサブバンドにおいて選出した前記上位Ｎ個の候補の中に前記１位候補とその１／２倍音に対応する候補が存在しない場合は、サブバンドを代えて新たに前記上位Ｎ個の候補を選出し、選出した候補の中に１位候補とその１／２倍音に対応する候補とが存在するかどうかの探索を、１位候補とその１／２倍音に対応する候補とが存在するまで繰り返すことを特徴とする、
請求項４に記載の音声判別装置。
【請求項６】
それぞれ音の特徴量が既知の複数種類の音響モデルを保持する保持手段を備えており、
前記判別手段は、前記特徴量抽出手段により抽出された特徴量と前記複数種類の音響モデルとの尤度の大きさに基づいて前記所定の音声か否かを判別することを特徴とする、
請求項１ないし５のいずれか一項に記載の音声判別装置。
【請求項７】
前記音響モデルは、前記所定の音声として、女性悲鳴、女性罵声、男性悲鳴、男性罵声の音響モデルを含むことを特徴とする、
請求項６に記載の音声判別装置。
【請求項８】
前記音声入力手段はハイパスフィルタを通過した音声を入力するように構成されており、前記特徴量抽出手段は、入力された音声の基本周波数が前記ハイパスフィルタの除外範囲内の周波数の場合、除外範囲外となる基本周波数のＭ倍音の位置で基本周波数の振幅の代替となる振幅を求めるとともに（Ｍ＋１）倍音の位置で２倍音の振幅の代替えとなる振幅を求め、これにより、前記差分値を導出することを特徴とする、
１ないし７のいずれか一項に記載の音声判別装置。
【請求項９】
前記所定の音声は、人が発する悲鳴を含むことを特徴とする、
請求項１ないし８のいずれか一項に記載の音声判別装置。
【請求項１０】
前記所定の音声は、人が発する叫び声の音響モデルであり、前記叫び声には、女性悲鳴、女性罵声、男性悲鳴、男性罵声の少なくとも一つ又はすべてを含むことを特徴とする、
請求項１ないし８のいずれか一項に記載の音声判別装置。
【請求項１１】
前記差分値は、前記入力された音声が、息漏れ音である場合は０よりも大きい値となり、しわがれ音である場合は０よりも小さい値となり、既知の発声特徴である通常発声である場合には０に近づくことを特徴とする、
請求項１ないし１０のいずれか一項に記載の音声判別装置。
【請求項１２】
前記差分値は、前記入力された音声が女性の悲鳴である場合は０より大きい値となり、男性の悲鳴又は罵声あるいは女性の罵声は０よりも小さく、既知の発声特徴である通常発声の特徴に近づくほど０に近づくことを特徴とする、
請求項１ないし１０のいずれか一項に記載の音声判別装置。
【請求項１３】
入力された音声の特徴量と音の特徴量が既知の複数種類の音響モデルとを比較することにより当該音声が所定の音声かどうかを判別する装置が実行する方法であって、
前記装置が、前記入力された音声を周波数解析して当該音声の基本周波数と２倍音とを特定し、特定した基本周波数の振幅と前記２倍音の振幅との差分値を当該音声の特徴量として前記音響モデルとの比較に用いることを特徴とする、
音声判別方法。
【請求項１４】
前記装置が、前記入力された音声の周波数を複数のサブバンドに分類して各サブバンドのサブバンドエネルギーを計測し、サブバンドエネルギーが最も大きいサブバンドから順に、当該サブバンドでのケプストラムの振幅が大きい順に上位Ｎ個の候補を選出し、１位候補とその１／２倍音に対応する候補とが前記上位Ｎ個の中に存在するかどうかの探索を、１位候補とその１／２倍音に対応する候補が見つかるまで繰り返すことを特徴とする、
請求項１３に記載の音声判別方法。
【請求項１５】
前記入力された音声がハイパスフィルタを通過した音声であり、前記基本周波数が前記ハイパスフィルタの除外範囲内の周波数の場合、
前記装置は、除外範囲外となる基本周波数のＭ倍音の位置で基本周波数の振幅の代替となる振幅を求めるとともに（Ｍ＋１）倍音の位置で２倍音の振幅の代替えとなる振幅を求め、これにより、前記差分値を導出することを特徴とする、
請求項１３に記載の音声判別方法。
【請求項１６】
前記所定の音声が人の叫び声であることを特徴とする、
請求項１３ないし１５のいずれか一項に記載の音声判別方法。
【請求項１７】
前記差分値に代えて、メル周波数ケプストラムを前記特徴量として抽出することを特徴とする、
請求項１３ないし１６のいずれか一項に記載の音声判別方法。
【請求項１８】
コンピュータを音声判別装置として動作させるためのコンピュータプログラムであって、前記コンピュータを、音声を入力するための音声入力手段、入力された音声の基本周波数の振幅とその２倍音の振幅との差分値を当該音声の特徴量として抽出する特徴量抽出手段、抽出された特徴量を用いて当該音声が所定の音声か否かを判別する判別手段、として機能させることを特徴とするコンピュータプログラム。
【手続補正書】
【提出日】平成31年1月21日(2019.1.21)
【手続補正１】
【補正対象書類名】明細書
【補正対象項目名】００２１
【補正方法】変更
【補正の内容】
【００２１】
なお、本発明は上記実施形態には限定されず、種々の変形が可能である。図７は、本発明の他の実施形態に係る防塵キャップ２００を示す上面図を示している。同図に示す防塵キャップ２００では、光伝送部支持部１２０ａ、１２０ｂに代えて、フェルール２２０ａ，２２０ｂがそれぞれ設けられている。フェルール２２０ａ，２２０ｂはジルコニア又は金属により、コネクタ部１１０ａ，１１０ｂ及び支持部１４０とは別体に形成されている。フェルール２２０ａ，２２０ｂは細長い円柱状をなし、中心軸にそって光伝送路１３０の各端部が挿通されており、各フェルール２２０ａ，２２０ｂの先端に光伝送路１３０の各端部が露呈している。コネクタ部１１０ａの円筒状の内部空間の底には、その中心にフェルール２２０ａと略同径の孔が開設されており、フェルール２２０ａの基端側が嵌め込まれている。同様に、コネクタ部１１０ｂの円筒状の内部空間の底にも、その中心にフェルール２２０ａと略同径の孔が開設されており、フェルール２２０ｂの基端側が嵌め込まれている。そして、送信用アダプタや受信用アダプタの側にもフェルール（不図示）が配置されており、防塵キャップ２００を光送受信モジュール３００に取り付けると、フェルール２２０ａ，２２０ｂは送信用アダプタや受信用アダプタのフェルールとそれぞれ対向する状態となる。なお、フェルール２２０ａ，２２０ｂは、送信用アダプタや受信用アダプタに適合するコネクタのフェルールと同じ形状であるのが好ましい。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
一対の電極と、前記一対の電極の間に配置され、少なくとも一種類のエレクトロクロミック材料と溶媒とを有するエレクトロクロミック層と、を有するエレクトロクロミック素子であって、
前記エレクトロクロミック層が、シアノエチル化ポリマーを有することを特徴とする、エレクトロクロミック素子。
【請求項２】
前記溶媒が、炭酸エステルであることを特徴とする、請求項１に記載のエレクトロクロミック素子。
【請求項３】
前記シアノエチル化ポリマーが、シアノエチルポリビニルアルコール、シアノエチルプルラン及びシアノエチルセルロースから選ばれるポリマーであることを特徴とする、請求項１又は２に記載のエレクトロクロミック素子。
【請求項４】
室温から８０℃における、前記エレクトロクロミック層の光学濃度の温度係数が、−０．２％／℃以上＋０．２％／℃未満であることを特徴とする、請求項１乃至３のいずれか一項に記載のエレクトロクロミック素子。
【請求項５】
前記溶媒に対する前記シアノエチル化ポリマーの添加量が、２０重量％以上、４０重量％未満であることを特徴とする、請求項１乃至４のいずれか一項に記載のエレクトロクロミック素子。
【請求項６】
請求項１乃至５のいずれか一項に記載のエレクトロクロミック素子と、前記エレクトロクロミック素子に接続されている能動素子と、を有することを特徴とする、光学フィルタ。
【請求項７】
前記能動素子が、前記エレクトロクロミック素子を駆動し、かつ前記エレクトロクロミック素子を通過する光の光量を調整することを特徴とする、請求項６に記載の光学フィルタ。
【請求項８】
複数のレンズを有する撮像光学系と、請求項６又は７に記載の光学フィルタと、を有することを特徴とする、レンズユニット。
【請求項９】
複数のレンズを有する撮像光学系と、請求項１乃至５のいずれか一項に記載のエレクトロクロミック素子と、前記エレクトロクロミック素子を通過した光を受光する撮像素子と、を有することを特徴とする、撮像装置。
【請求項１０】
複数のレンズを含む撮像光学系を有するレンズユニットが着脱可能である撮像装置であって、
請求項１乃至５のいずれか一項に記載のエレクトロクロミック素子と、前記エレクトロクロミック素子を通過した光を受光する撮像素子と、を有する撮像ユニットを有することを特徴とする、撮像装置。
【請求項１１】
一対の透明基板と、前記一対の透明基板の間に配置されている請求項１乃至５のいずれか一項に記載のエレクトロクロミック素子と、前記エレクトロクロミック素子に接続されている能動素子と、を有し、
前記エレクトロクロミック素子により前記一対の透明基板を透過する光の光量を調整することを特徴とする窓材。
【請求項１２】
前記能動素子が、前記エレクトロクロミック素子を駆動し、かつ前記エレクトロクロミック素子を通過する光の光量を調整することを特徴とする、請求項１１に記載の窓材。
【手続補正２】
【補正対象書類名】明細書
【補正対象項目名】００４５
【補正方法】変更
【補正の内容】
【００４５】
図２において、レンズユニット２１は、複数のレンズあるいはレンズ群を有するユニットであり、絞りより撮像素子２９側でフォーカシングを行うリアフォーカス式のズームレンズである。